(57)【要約】【課題】ポンプボトル内容液の補充、詰替作業は取り外した手押しポンプ部の吸い込パイプに残液が流出して、不衛生であった。また、残量の減った軽量のボトル容器は、非常に不安定で、補充、詰替作業は困難であった。本発明は、補充、詰替作業中の厄介な問題点を解決する為に考案された、ポンプボトル詰替補助器具を提供する。【解決手段】補充、詰替作業の際に置き場に困っていた手押しポンプ部を、上下逆さまにして容易に仮置きできる、手押しポンプピストン挟持部を設けた。補充、詰替作業の際、内容液が少なく軽量になった、非常に不安定なボトルを固定できる、高低差のあるさまざまなボトルに対応できる、上下可動式の、ボトル固定部を有するボトル固定部材を設けた。上下可動するボトル固定部材を、任意の高さで固定できる構造である。未使用時は、ボトル固定部材が格納できる。【選択図】図５
2018058639.tif 000002
【特許請求の範囲】
【請求項１】
壁面へ支持するための、支持手段（１０）とポンプボトルが備えるポンプピストンを挟持する手押しポンプピストン挟持部（２）と、ポンプボトル（３０）のボトル口頸部（３０−Ａ）を固定するための、ボトル固定部材（５）と、手押しポンプピストン挟持部（２）と、ボトル固定部材（５）との間に介在させた支持部材（８）と、を備えたことを特徴とするポンプボトル詰替補助器具。
【請求項２】
壁面へ支持するための、支持手段（１０）を、吸着盤に限定した場合、固定レバー（１）とポンプピストン挟持部（２）を、一体化して設けたことを特徴とする請求項１に記載のポンプボトル詰替補助器具。
【請求項３】
手押しポンプピストン挟持部（２）は、手押しポンプ部（２０）を上下さかさまにして、手押しポンプピストン部（２０−Ａ）を挟持することができる空間（２２−Ａ）を有することを特徴とする請求項１から２、に記載のポンプボトル詰替補助器具。
【請求項４】
ボトル固定手段（５）は、ボトル口頸部３０−Ａを固定できる、開口（２２）を有する、上下可動可能なボトル固定手段（５）を、設けたことを特徴とする請求項１から３、に記載のポンプボトル詰替補助器具。
【請求項５】
内容物の補充、詰替作業時に、ボトル固定手段（５）の上下動及び、扇形回転運動を抑制するカム形状を施したことを特徴とする請求項１から４、に記載のポンプボトル詰替補助器具。
【発明の詳細な説明】
【技術分野】
【０００１】  本発明は、ポンプボトル内の内容液を補充又は、詰替作業の際、取り外した手押しポンプ部の仮置用の保持具を設け、内容液補充、又は詰替作業時の、軽量になり、不安定になった様々な高低差のあるボトルを保持し、ボトルを安定させた状態での補充、詰替作業ができることを目的としたポンプボトル詰替補助器具を提供する。
【背景技術】
【０００２】  ポンプボトル内の内容液を補充又は、詰替作業の補助器具としては、取り外した手押しポンプ部をボトルから抜き出さずに、漏斗の一部を凹型に変形させた部分に仮置し、内容液を補充、詰替するものが特許開示されている。
また、取り外した手押しポンプ部を、ボトル口頸部に、上方に蛇行した支柱を有する挟持具を挟み、ポンプ部を仮設置し、補充、詰替の作業をするものが、特許開示されている。
【先行技術文献】
【特許文献】
【０００３】
【特許文献１】特開２０１２−８２００８
【特許文献２】特開２０１６−６９０６０
【発明の概要】
【発明が解決しようとする課題】
【０００４】  特許文献１は、ボトルに内容液を補充又は、詰替作業をする際、漏斗がボトルに入る高さまで引抜き、漏斗をボトル容器の注ぎ口に挿入し、漏斗の一部を凹型に変形させた部分に仮置きし、漏斗より内容液を補充又は、詰替する作業を行うのであるが、漏斗形状になっている為液体の補充、詰替作業には適している。しかし、殆どの補充又は、詰替用の液体は、その原液である為、液体の種類では、非常に粘稠な液体もある。その種類によっては、詰替の液体が入った袋を逆さにしただけでは、自然流出してこないほど粘稠な液体もある為、漏斗をボトルに差し込み、狭くなった円錐状の漏斗からの自然流下は疑問視されるところである。また、作業後に必要になる作業が、漏斗の洗浄である。完全に洗浄するには、時間が掛かり不経済である。また、ポンプボトルの補充、詰替作業は、一般的な家庭において、毎日行う作業では無い為、漏斗の保管場所にも課題がある。【０００５】  特許文献２は、ボトル口頸部に、上方に蛇行した支柱を有する挟持具を挟み、手押しポンプ部を蛇行した支柱頂点に引っ掛け、補充、詰替作業を行うのであるが、ボトル口頸部から完全に引抜かれていない手押しポンプ部の内容液吸上げパイプが、ボトル口頸部を一部塞いでいる為、その作業は極めて慎重に行わなければボトル口頸部周囲に、付着、溢れる可能性が想定される。【０００６】  内容量が少なくなったボトルは軽量になり、非常に不安定である。その、不安定なボトルのボトル口頸部に、詰替用液体袋の注ぎ口を挿入するのは、特に高齢者や子供には困難な作業である。また、詰替用液体の種類によっては、詰替用液体の入った袋を両手で搾り出さなければ内容液が注ぎ口から流出して来ないほど、内容液体が非常に粘稠な液体もある為、不安定なボトル容器を詰替用液体袋の注ぎ口で押さえながら、液体を搾り出さなければならないという困難な作業を強いられている。
【課題を解決するための手段】
【０００７】  補充、詰替作業の際に、取外し置き場に困っていた手押しポンプ部を、上下逆さまにして容易に仮置きできる、手押しポンプピストン挟持部を設けた。【０００８】  補充又は、詰替作業の際、内容量が少なく軽量になった不安定なボトルを保持できる、高低様々な容器に対応できる上下にスライドする、ボトル固定部材を設けた。また、補充又は詰替作業の際、上下にスライドするボトル固定部材が、安定した状態で補充又は、詰替作業ができるよう、ボトル固定部材の、高さ及び角度を固定できる構造である。
本発明品は以上の構成からなるポンプボトル詰替補助器具である。
【発明の効果】
【０００９】  本発明品は、使用する場所に支持手段で容易に設置保管でき、未使用時はボトル固定部材が格納できる構造の為、本体の収納場所のスペースがほとんどいらない。【００１０】  補充、詰替作業の際、置き場に困っていたポンプボトルの手押しポンプ部の置き場に困らない。【００１１】  補充又は、詰替作業の際、内容量が少なくなり軽量になった、非常に不安定なボトルを、ボトル固定部材で固定することにより、ボトル本体及びボトル口頸部を保持できる為、詰替用液体袋の注ぎ口が容易にボトル口頸部に挿入することができる。本発明は、詰替用液体が、非常に粘稠な液体であっても、ボトル口頸部より直接注入できる為、漏斗式のように、詰替用液体袋から搾り出した詰替用液体が漏斗に移り、漏斗からボトル内部への詰替用液体の自然落下を待つといった待ち時間が無い。両手で詰替用液体袋を搾り詰替用内容液を搾り出すことができる為、補充又は、詰替作業時間の短縮にも繋がる。【００１２】  万が一補充、詰替作業中に液体が溢れても、器具自体の清掃が容易である。
【図面の簡単な説明】
【００１３】
【図１】  本発明のポンプボトル詰替補助器具の斜視図である。
【図２】  本発明のポンプボトル詰替補助器具の格納保管状態斜視図である。
【図３】  ポンプボトルの分解図である。
【図４】  本発明に手押しポンプ上下逆さまに挟持し、ボトルを固定した斜視図である。
【図５】  本発明の使用状態を示す斜視図である。
【図６】  ［図４］のポンプボトルより高さが高いポンプボトルを設置した斜視図である。
【図７】  本発明を支持手段で壁面接着する前の側面構造図である。
【図８】  本発明を支持手段で壁面壁面に設置した側面構造図である。
【図９】  ボトル固定部材の上下可動可能角度及び固定角度を示した側面構造図である。
【図１０】  ボトル固定部材の側面図である。
【図１１】  ボトル固定部材の上下可動を示した側面構造図である。
【図１２】  固定レバー及び手押しポンプピストン挟持部の平面構造図である。
【図１３】  上下スライド部材の斜視図である。
【発明を実施するための形態】
【００１４】  本実施例では、本発明であるポンプボトル詰替補助器具５０の、支持手段１０を吸着盤の例で説明するが、支持手段（吸着盤）１０は、これに限るものではなく、壁面４０に固着するものであるなら、両面テープやフック、ビス等による支持又は固定であってもよい。
【００１５】  本発明のポンプボトル詰替補助器具５０には、図１の示す板状の支持部材８の後面の上方に固着又は一体成型した皿形状を形成した支持手段カバー１１を設けている。本発明であるポンプボトル詰替補助器具５０を、本実施例の支持手段（吸着盤）１０にて壁面４０に接着した際に、柔らかい塩化ビニール素材の支持手段（吸着盤）１０の壁面接着面である、壁面４０と、支持部材８の後面隙間を、図８の示す、支持手段カバー１１により埋めることで、本発明、ポンプボトル詰替補助器具５０の、上下方向及び左右方向のがたつきを抑制している。
【００１６】  支持手段カバー１１には、支持部材８の後面と壁面４０との隙間を一定に保つ役割があり、前記隙間により、後で記する上下スライド部材７が、壁面４０に接触することなくスムーズに上下にスライドできる。
【００１７】  本実施例では、支持部材８は板状である場合を説明したが、棒形状でも実施可能である。
【００１８】  支持部材８に固着又は一体成型された皿形状を形成した支持手段カバー１１の皿受側には、ポンプボトル詰替補助器具５０を壁面４０に接着する為の塩化ビニール素材である、図７の示す、本実施例の支持手段（吸着盤）１０が設けてある。が、支持手段（吸着盤）１０のみの接着力では、本発明のポンプボトル詰替補助器具５０の、使用中ならびに、壁面接着状態保管時に、支持手段（吸着盤）１０の接着側の壁面接着保持力である、支持手段（吸着盤）１０の接着面側真空圧力が減じ、支持手段（吸着盤）１０が壁面４０より剥がれ、本発明であるポンプボトル詰替補助器具５０が壁面から落下する懸念がある。
【００１９】  上記（［００１８］）の解決方法として、より強固で安定した接着力を保持できる、従来技術である吸着盤固定レバー方式を採用した。
【００２０】  支持手段（吸着盤）１０の、外周の中心部前側に固着された連結部材２１の形状は、固定レバー１及び手押しポンプピストン挟持部２、支持部材８が、連結部材２１を中心とした、回転運動を禁止する為、多角形の形状としている。連結部材２１は、支持部材８に固着又は一体成型した、皿形状を形成した支持手段カバー１１の外周の中心部と支持部材８を、支持手段（吸着盤）１０の外周の中心部に固着された、連結部材２１が貫通している。その貫通孔は、連結部材２１が滑らかに可動するよう、連結部材２１の外周大きさよりも、若干大きめの、連結部材２１と同形状の多角形の形状をした貫通孔である。その貫通孔を貫通した連結部材２１は、固定レバーヒンジ９を介して、一体成型した固定レバー１及び、手押しポンプピストン挟持部２とに、連結されている。
【００２１】  一体成型された固定レバー１と手押しポンプピストン挟持部２を、固定レバーヒンジ９を支点に、図８に示す、破線矢印方向下方に約９０°扇形回転することにより、固定レバー１の、支持部材８側のカム形状により、固定レバーヒンジ９、連結部材２１を介して、支持手段（吸着盤）１０の対接着面中心部が支持手段カバー１１側に引かれる事により、支持手段（吸着盤）１０の接着面内部の真空圧力を増すことで、支持手段（吸着盤）１０の壁面４０への接着力を強固に保持できる。
【００２２】  図１２に示す、一体成型された、固定レバー１と手押しポンプピストン挟持部２は、固定レバー１、手押しポンプピストン挟持部２の中心線１２を、中心に、左右対称な２つの成型材で構成されている。手押しポンプピストン挟持部２は、固定レバー１の固定レバーヒンジ９とは反対側の一端に位置し、円柱状の手押しポンプピストン部２０−Ａを挟持する形状をした、外側に湾曲した形状の空間２２−Ａを形成している。手押しポンプピストン挟持部２の先端形状は、円柱状の手押しポンプピストン部２０−Ａを、湾曲した形状の空間２２−Ａに挿入しやすいよう、先端部がやや外側に開いた形状である。
【００２３】  図１２に示す、固定レバー１の向かい合った面の内側には、固定レバー１の構成材である左右対称な２つの成型材の間隔を保ち、吸着盤固定時の固定レバー１の構造的な強度と対曲げ強度、手押しポンプピストン部２０−Ａを挟持する際の、挟持力を調整している連結材が一体成型されている。この連結材は、固定レバー１と固定レバーヒンジ９及び、連結部材２１の動きを妨げない位置に、一体成型されている。
【００２４】  図１３に示す、ボトル固定部材ヒンジ６を有する、上下スライド部材７は、支持部材８両側面を挟む様に、２つのボトル固定部材ヒンジ６を対向するように配置されている。上下スライド部材７の両内側と支持部材８の両側面との間隔は、微少な隙間を設け、上下スライドを可能としている。上下スライド部材７は、後で記する、図１０に示す、ボトル固定部材５に形成された、カム形状部分とで、支持部材８を前後方向に挟み込む様に、ボトル固定部材ヒンジ６を介して配置されている。
【００２５】  図１１に示す、支持部材８の最下部後面には、ボトル固定部材ヒンジ６を介して配置された、上下スライド部材７及び、ボトル固定部材５の、支持部材８からの抜け落ちを防止するよう凸形状１４になっている。
【００２６】  図１４に示す、ボトル固定部材５は、延長部材４、ボトル固定部３とボトル固定部材ヒンジ６と図１４に示す、カム形状による構成からなる。
【００２７】  図１４に示す、ボトル固定部材５に設けた延長部材４は、補充又は詰替作業の際、手押しポンプピストン挟持部２に上下逆さまに挟持してある手押しポンプ部２０が、詰替用液体袋１００による、補充又は詰替作業の妨げにならない配置にしている。ボトル固定部３により固定されたボトル口頸部３０−Ａからの、壁面接着固定状態の手押しポンプピストン挟持部２の先端から支持部材８までの水平距離よりも、支持部材８の前面からボトル固定部３に設けた、開口２２までの水平距離を延長するための、延長部材４である。
【００２８】  図１０に示す、ボトル固定部材５に形成された、角度Ｃ１６から角度Ｆ１８、までのカム形状範囲は、詰替用液体袋１００による、内容液の補充又は詰替作業の際、ボトル固定部材５の扇形回転運動の抑制と可動、及び上下スライド部材７の上下動の抑制と可動を、制御するための形状である。
【００２９】  上下スライド部材７、支持部材８とボトル固定部材ヒンジ６を介して、ボトル固定手段５を配置した状態で、図９に示す、支持部材８に対するボトル固定部材５が角度Ｃ１６の範囲内にある場合、図１０に示す、ヒンジ中心からの長さＧ１５を、支持部材８の表面からの距離より短くすることで、ボトル固定部材５に形成された、カム形状部分と支持部材８表面との間に隙間ができ、ボトル固定部材５に形成された、カム形状部分と支持部材８が接触しないことでボトル固定部材５に連結する上下スライド部材７が、円滑に支持部材８を上下にスライドし、高低様々な容器に対応できる。
【００３０】  上下スライド部材７、支持部材８とボトル固定部材ヒンジ６を介して、ボトル固定部材５を配置した状態で、図９に示す、支持部材８に対するボトル固定部材５が角度Ｆ１８の範囲内にある場合は、図１０に示す、ヒンジ中心からの長さＨ１７を支持部材８の表面からの距離より若干長くすることで、ボトル固定部材５に形成された、カム形状部分と支持部材８が接触し、ボトル固定部材５の扇形回転運動と、上下スライド部材７の上下動が抑制され、ボトル固定部３に挿入したボトル口頸部３０−Ａを固定し、安定した状態で補充又は詰替することができる。
【００３１】  本実施例では、ボトル固定部材５に設けた延長部材４は、図１４に示す、板状をしているが、ボトル固定部３までの延長部材４は、棒形状でも実施可能である。
【００３２】  ボトル固定部材５に設けてあるボトル固定部３の開口２２は、補充又は詰替作業の際、ボトル口頸部３０−Ａを、固定する為の開口２２である。この開口２２は、ボトル口頸部３０−Ａの直径よりもやや大きめの開口２２である。これは、各メーカーのポンプボトルのボトル口頸部直径が全て同じではない為、様々なボトル口頸部３０−Ａに対応できるように、やや広めの開口２２にしてある。又、補充又は詰替作業の際、壁面４０に対する、ボトル固定部３を有するボトル固定部材５の角度が、使用状況によっては、前記壁面４０に対して必ずしも直角にならないことを想定し、言い方を変えればボトル固定部材５が、ボトル口頸部３０−Ａに対し、上下方向やや斜めになるような角度でも、本発明が使用できるよう、ボトル口頸部直径よりも、やや広めの直径の開口２２にした。
【００３３】  本実施例では、ボトル固定部３に設けた開口２２の形状は、円形のリング形状であるが、多角形状、人間の手の形状や、動物の手や足等のような形状でも、実施可能である。
【００３４】  ボトルへの補充、詰替作業が完了すれば、手押しポンプ部２０を、手押しポンプピストン挟持部２から外しボトルへ戻した後、ボトル固定部材５をボトル固定部材ヒンジ６を支点に、垂直方向上方に扇形回転させると同時に、上下スライド部材７がボトル固定部材５に形成されたカム形状により、上下スライド抑制状態から上下スライド可能状態になり、上下スライド部材７を支持部材８の最下部凸形状まで下げおろし、図２に示す、ボトル固定部３に設けた、開口２２を、手押しポンプピストン挟持部２を通過させ、開口２２を支持部材８の上部に引っ掛ければ格納できる構造になっている。
本発明は、以上の構成からなるポンプボトル詰替補助器具５０である。
【００３５】  本発明を使用する場合は、図７に示す、固定レバーヒンジ９を中心に、固定レバー１を垂直方向上方の位置にし、補充または詰替を行おうとするボトル口頸部３０−Ａの高さに接着壁面に対しほぼ直角の位置にしたボトル固定部材５の高さを合わせ、支持手段（吸着盤）１０を壁面４０に押し付け、図８に示す、固定レバー１を、接着する壁面に対しほぼ直角になるまで、固定レバーヒンジ９を中心に扇形回転運動をし固定する。ポンプボトルの手押しポンプ部２０をボトル３０から外し、手押しポンプ部２０下部の吸い込パイプ先端より液体が流出しないように、速やかに手押しポンプ部２０を上下逆さまにして、手押しポンプ部２０の手押しポンプピストン部２０−Ａを、手押しポンプピストン挟持部２の空間２２−Ａに挟み保持し、仮置きしておく。
【００３６】  補充、詰替作業時間内では、各メーカーの上下逆さまにした手押しポンプ部２０からの、液体流出は確認できなかった。
【００３７】  次に、ボトル口頸部３０−Ａの高さに、ボトル固定部材５をほぼ水平もしくは、若干下方に向く位置に合わせ、ボトル口頸部３０−Ａにボトル固定部３の開口２２を差し入れる。開封した詰替用液体袋１００を手に持ち、前記袋の注ぎ口をボトル口頸部３０−Ａに挿入し、内容液を注ぎ入れる。
【００３８】  ボトルへの補充、詰替作業が完了すれば、手押しポンプ部２０を、手押しポンプピストン挟持部２から外しボトルへ戻した後、ボトル固定部材５をボトル固定部材ヒンジ６を支点に、垂直方向上方に扇形回転運動させると同時に、上下スライド部材７がボトル固定部材５に形成されたカム形状により、抑制状態から可動可能状態になり、上下スライド部材７に連結する各部材を支持部材８の凸形状１４まで下げ下ろし、ボトル固定部３の開口２２を、手押しポンプピストン挟持部２を通過させ、開口２２を支持板部材８の上部に引っ掛けて格納すれば作業完了である。
【符号の説明】
【００３９】５０      ポンプボトル詰替補助器具
１        固定レバー
２        手押しポンプピストン挟持部
３        ボトル固定部
４        延長部材
５        ボトル固定部材
６        ボトル固定部材ヒンジ
７        上下スライド部材
８        支持部材
９        固定レバーヒンジ
１０      支持手段（吸着盤）
１１      支持手段カバー
１２      固定レバー１、手押しポンプピストン挟持部２の中心線
１４      凸形状
１５      ヒンジ中心からの長さＧ
１６      角度Ｃ
１７      ヒンジ中心からの長さＨ
１８      角度Ｆ
２０      手押しポンプ部
２０−Ａ  手押しポンプピストン部
２１      連結部材
２２      開口
２２−Ａ  空間
３０      ボトル
３０−Ａ  ボトル口頸部
４０      壁面
４５      床又は棚板
１００    詰替用液体袋
【図１】
2018058639.tif 000003
【図２】
2018058639.tif 000004
【図３】
2018058639.tif 000005
【図４】
2018058639.tif 000006
【図５】
2018058639.tif 000007
【図６】
2018058639.tif 000008
【図７】
2018058639.tif 000009
【図８】
2018058639.tif 000010
【図９】
2018058639.tif 000011
【図１０】
2018058639.tif 000012
【図１１】
2018058639.tif 000013
【図１２】
2018058639.tif 000014
【図１３】
2018058639.tif 000015
【図１４】
2018058639.tif 000016
【手続補正書】
【提出日】平成28年12月21日(2016.12.21)
【手続補正１】
【補正対象書類名】明細書
【補正対象項目名】００１３
【補正方法】変更
【補正の内容】
【００１３】
【図１】本発明のポンプボトル詰替補助器具の斜視図である。
【図２】本発明のポンプボトル詰替補助器具の格納保管状態斜視図である。
【図３】ポンプボトルの分解図である。
【図４】本発明に手押しポンプ上下逆さまに挟持し、ボトルを固定した斜視図である。
【図５】本発明の使用状態を示す斜視図である。
【図６】［図４］のポンプボトルより高さが高いポンプボトルを設置した斜視図である。
【図７】本発明を支持手段で壁面接着する前の側面構造図である。
【図８】本発明を支持手段で壁面壁面に設置した側面構造図である。
【図９】ボトル固定部材の上下可動可能角度及び固定角度を示した側面構造図である。
【図１０】ボトル固定部材の側面図である。
【図１１】ボトル固定部材の上下可動を示した側面構造図である。
【図１２】固定レバー及び手押しポンプピストン挟持部の平面構造図である。
【図１３】上下スライド部材の斜視図である。
【図１４】ボトル固定部材の斜視図である。